(57)【要約】【課題】撮像装置によって十分な明るさの天体の画像が得られない場合であっても、撮像装置を用いて天体の情報をユーザに知らせることが可能な撮像装置、機器連携システム及び機器連携方法を提供すること。【解決手段】撮像装置１００は、被写体を撮像して画像を得る撮像部１０４と、撮像部１０４で得られた画像をスルー画として表示させる表示部１０６と、携帯端末２００において指定された天体の位置の情報を含む指定情報を受信する通信部１１６と、受信された指定情報によって指定された位置に基づいて、天体の位置を示すガイド情報を表示部１０６に表示されているスルー画に重ねて表示させるように制御する制御部１０２とを備える。【選択図】図１
2015207823.tif 000002
【特許請求の範囲】
【請求項１】
被写体を撮像して画像を得る撮像部と、
前記画像をスルー画として表示する表示部と、
携帯端末において指定された天体の位置の情報を含む指定情報を前記携帯端末から受信する通信部と、
前記受信された指定情報によって指定された位置に基づいて、前記天体の位置を示すガイド情報を前記表示部に表示されているスルー画に重ねて表示させるように制御する制御部と、
を具備することを特徴とする撮像装置。
【請求項２】
前記制御部は、前記表示されているスルー画の画角に応じて、前記受信された指定情報によって指定された位置をシフトさせ、該シフトさせた位置に応じたガイド情報を表示させることを特徴とする請求項１に記載の撮像装置。
【請求項３】
前記制御部は、前記シフトさせた位置が前記表示部の表示範囲内である場合には、前記スルー画に表示されている前記天体の位置を示すように前記ガイド情報を表示させ、前記シフトさせた位置が前記表示部の表示範囲外である場合には、前記天体への方向を示すように前記ガイド情報を表示させることを特徴とする請求項２に記載の撮像装置。
【請求項４】
被写体を撮像して画像を得る撮像部と、
前記画像をスルー画として表示する表示部と、
前記スルー画における位置を指定する指定部と、
前記指定された位置と前記スルー画の画角とを含む指定情報を携帯端末に送信するとともに、前記指定された位置と前記スルー画の画角に基づいて検索された情報であって前記指定された位置に対応した天体の画像及び前記天体の前記表示部における位置を示すガイド情報を含む星座情報を前記携帯端末から受信する通信部と、
前記星座情報を前記表示部に表示させるように制御する制御部と、
を具備することを特徴とする撮像装置。
【請求項５】
前記撮像装置は、アダプタを介して前記携帯端末と一体的に接続されることを特徴とする請求項１乃至４の何れか１項に記載の撮像装置。
【請求項６】
前記撮像装置から前記携帯端末へは、前記アダプタを介して電源が供給されることを特徴とする請求項５に記載の撮像装置。
【請求項７】
撮像装置と携帯端末とを有する機器連携システムであって、
前記撮像装置は、
被写体を撮像して画像を得る撮像部と、
前記画像をスルー画として表示する撮像装置側表示部と、
前記携帯端末において指定された天体の位置の情報を含む指定情報を前記携帯端末から受信する撮像装置側通信部と、
前記受信された指定情報によって指定された位置に基づいて、前記天体の位置を示すガイド情報を前記撮像装置側表示部に表示されているスルー画に重ねて表示させるように制御する制御部と、
を具備し、
前記携帯端末は、
天体の画像を含む星座情報を表示する携帯端末側表示部と、
前記携帯端末側表示部において表示されている星座情報において指定された天体の位置の情報を含む前記指定情報を前記撮像装置に送信する携帯端末側通信部と、
を具備することを特徴とする機器連携システム。
【請求項８】
撮像装置と携帯端末とを有する機器連携システムであって、
前記撮像装置は、
被写体を撮像して画像を得る撮像部と、
前記画像をスルー画として表示する撮像装置側表示部と、
前記スルー画における位置を指定する指定部と、
前記指定された位置と前記スルー画の画角とを含む指定情報を携帯端末に送信するとともに、前記指定された位置と前記スルー画の画角に基づいて検索された情報であって前記指定された位置に対応した天体の画像及び前記天体の前記撮像装置側表示部における位置を示すガイド情報を含む星座情報を前記携帯端末から受信する撮像装置側通信部と、
前記受信された星座情報を前記撮像装置側表示部に表示させるように制御する制御部と、
を具備し、
前記携帯端末は、
前記指定情報を前記撮像装置から受信するとともに、前記星座情報を前記撮像装置に送信する携帯端末側通信部と、
前記指定された位置と前記スルー画の画角に基づいて前記星座情報を検索する制御部と、
を具備することを特徴とする機器連携システム。
【請求項９】
天体の画像を含む星座情報を携帯端末側表示部に表示させることと、
前記携帯端末側表示部において表示されている星座情報において指定された天体の位置の情報を含む指定情報を携帯端末から撮像装置に送信することと、
前記撮像装置において被写体を撮像して画像を得ることと、
前記画像をスルー画として撮像装置側表示部に表示させることと、
前記携帯端末から送信された指定情報に基づいて、前記天体の位置を示すガイド情報を前記撮像装置側表示部に表示されているスルー画に重ねて表示させることと、
を具備することを特徴とする機器連携方法。
【請求項１０】
撮像装置において被写体を撮像して画像を得ることと、
前記画像をスルー画として撮像装置側表示部に表示させることと、
前記スルー画において指定された位置と前記スルー画の画角とを含む指定情報を撮像装置から携帯端末に送信することと、
前記撮像装置から送信された指定情報に基づいて、前記指定された位置に対応した天体の画像及び前記天体の前記撮像装置側表示部における位置を示すガイド情報を含む星座情報を検索することと、
前記検索された星座情報を前記携帯端末から前記撮像装置に送信することと、
前記携帯端末から送信された星座情報を前記撮像装置側表示部に表示させることと、
を具備することを特徴とする機器連携方法。
【発明の詳細な説明】
【技術分野】
【０００１】
本発明は、撮像装置、機器連携システム及び機器連携方法に関する。
【背景技術】
【０００２】
現在位置から見える天体の情報をユーザに知らせる装置が、例えば特許文献１において提案されている。特許文献１の天体観測装置は、撮像装置（カメラ）によって撮像された天空の画像とデータベースに格納されている天体データとを比較することによって、撮像装置が向いている方向の天体の情報をユーザに知らせている。
【先行技術文献】
【特許文献】
【０００３】
【特許文献１】特開２００９−２１０８７５号公報
【発明の概要】
【発明が解決しようとする課題】
【０００４】
近年の撮像装置では、撮像の高フレームレート化が進んでいる。また、通常、天体観察は夜間に行われる。このため、十分な明るさの天体の画像を撮像によって得ることができないことがある。十分な明るさで天体を撮像することができないと、撮像装置の表示部に表示された情報だけでは天体の観察をすることが困難である。
【０００５】
本発明は、前記の事情に鑑みてなされたもので、撮像装置によって十分な明るさの天体の画像が得られない場合であっても、撮像装置を用いて天体の情報をユーザに知らせることが可能な撮像装置、機器連携システム及び機器連携方法を提供することを目的とする。
【課題を解決するための手段】
【０００６】
前記の目的を達成するために、本発明の第１の態様の撮像装置は、被写体を撮像して画像を得る撮像部と、前記画像をスルー画として表示する表示部と、携帯端末において指定された天体の位置の情報を含む指定情報を前記携帯端末から受信する通信部と、前記受信された指定情報によって指定された位置に基づいて、前記天体の位置を示すガイド情報を前記表示部に表示されているスルー画に重ねて表示させるように制御する制御部とを具備することを特徴とする。
【０００７】
前記の目的を達成するために、本発明の第２の態様の撮像装置は、被写体を撮像して画像を得る撮像部と、前記画像をスルー画として表示する表示部と、前記スルー画における位置を指定する指定部と、前記指定された位置と前記スルー画の画角とを含む指定情報を携帯端末に送信するとともに、前記指定された位置と前記スルー画の画角に基づいて検索された情報であって前記指定された位置に対応した天体の画像及び前記天体の前記表示部における位置を示すガイド情報を含む星座情報を前記携帯端末から受信する通信部と、前記星座情報を前記表示部に表示させるように制御する制御部とを具備することを特徴とする。
【０００８】
前記の目的を達成するために、本発明の第３の態様の機器連携システムは、撮像装置と携帯端末とを有する機器連携システムであって、前記撮像装置は、被写体を撮像して画像を得る撮像部と、前記画像をスルー画として表示する撮像装置側表示部と、前記携帯端末において指定された天体の位置の情報を含む指定情報を前記携帯端末から受信する撮像装置側通信部と、前記受信された指定情報によって指定された位置に基づいて、前記天体の位置を示すガイド情報を前記撮像装置側表示部に表示されているスルー画に重ねて表示させるように制御する制御部とを具備し、前記携帯端末は、天体の画像を含む星座情報を表示する携帯端末側表示部と、前記携帯端末側表示部において表示されている星座情報において指定された天体の位置の情報を含む前記指定情報を前記撮像装置に送信する携帯端末側通信部とを具備することを特徴とする。
【０００９】
前記の目的を達成するために、本発明の第４の態様の機器連携システムは、撮像装置と携帯端末とを有する機器連携システムであって、前記撮像装置は、被写体を撮像して画像を得る撮像部と、前記画像をスルー画として表示する撮像装置側表示部と、前記スルー画における位置を指定する指定部と、前記指定された位置と前記スルー画の画角とを含む指定情報を携帯端末に送信するとともに、前記指定された位置と前記スルー画の画角に基づいて検索された情報であって前記指定された位置に対応した天体の画像及び前記天体の前記撮像装置側表示部における位置を示すガイド情報を含む星座情報を前記携帯端末から受信する撮像装置側通信部と、前記受信された星座情報を前記撮像装置側表示部に表示させるように制御する制御部とを具備し、前記携帯端末は、前記指定情報を前記撮像装置から受信するとともに、前記星座情報を前記撮像装置に送信する携帯端末側通信部と、前記指定された位置と前記スルー画の画角に基づいて前記星座情報を検索する制御部とを具備することを特徴とする。
【００１０】
前記の目的を達成するために、本発明の第５の態様の機器連携方法は、天体の画像を含む星座情報を携帯端末側表示部に表示させることと、前記携帯端末側表示部において表示されている星座情報において指定された天体の位置の情報を含む指定情報を携帯端末から撮像装置に送信することと、前記撮像装置において被写体を撮像して画像を得ることと、前記画像をスルー画として撮像装置側表示部に表示させることと、前記携帯端末から送信された指定情報に基づいて、前記天体の位置を示すガイド情報を前記撮像装置側表示部に表示されているスルー画に重ねて表示させることとを具備することを特徴とする。
【００１１】
前記の目的を達成するために、本発明の第６の態様の機器連携方法は、撮像装置において被写体を撮像して画像を得ることと、前記画像をスルー画として撮像装置側表示部に表示させることと、前記スルー画において指定された位置と前記スルー画の画角とを含む指定情報を撮像装置から携帯端末に送信することと、前記撮像装置から送信された指定情報に基づいて、前記指定された位置に対応した天体の画像及び前記天体の前記撮像装置側表示部における位置を示すガイド情報を含む星座情報を検索することと、前記検索された星座情報を前記携帯端末から前記撮像装置に送信することと、前記携帯端末から送信された星座情報を前記撮像装置側表示部に表示させることとを具備することを特徴とする。
【発明の効果】
【００１２】
本発明によれば、撮像装置によって十分な明るさの天体の画像が得られない場合であっても、撮像装置を用いて天体の情報をユーザに知らせることが可能な撮像装置、機器連携システム及び機器連携方法を提供することができる。
【図面の簡単な説明】
【００１３】
【図１】本発明の第１の実施形態に係る機器連携システムの構成を示す図である。
【図２】本発明の第１の実施形態における撮像装置の制御を示したフローチャートである。
【図３】本発明の第１の実施形態における携帯端末の制御を示したフローチャートである。
【図４】第１の実施形態の機器連携システムの動作を示す図である。
【図５】第１の実施形態の変形例の撮像装置の制御を示したフローチャートである。
【図６】第１の実施形態の変形例の携帯端末の制御を示したフローチャートである。
【図７】第１の実施形態の変形例の機器連携システムの動作を示す図である。
【図８】本発明の第２の実施形態における機器連携システムの外観図である。
【図９】位置調整の概要を示す図である。
【図１０】位置調整モードの処理を示すフローチャートである。
【図１１】位置調整モードの際の、携帯端末から照射される補助光と照射パターンとの関係を示す図である。
【図１２】第２の実施形態の変形例１における機器連携システムの外観図である。
【図１３】第２の実施形態の変形例１に係る機器連携システムの構成を示す図である。
【図１４】第２の実施形態の変形例２における機器連携システムの外観図である。
【発明を実施するための形態】
【００１４】
以下、図面を参照して本発明の実施形態を説明する。  
［第１の実施形態］
まず、本発明の第１の実施形態について説明する。図１は、本発明の第１の実施形態に係る機器連携システムの構成を示す図である。図１に示す機器連携システム１は、撮像装置１００と、携帯端末２００と、サーバ３００とを有している。撮像装置１００と携帯端末２００とは、互いに通信するように構成されている。また、携帯端末２００とサーバ３００とは、互いに通信するように構成されている。
【００１５】
撮像装置１００は、制御部１０２と、撮像部１０４と、表示部１０６と、記録部１０８と、操作部１１０と、タッチパネル１１２と、姿勢検出部１１４と、方位検出部１１５と、通信部１１６とを有している。撮像装置１００は、例えばデジタルカメラやスマートフォンといった撮像機能を有する各種の機器である。
【００１６】
制御部１０２は、例えばＣＰＵやＡＳＩＣで構成されている。制御部１０２は、撮像装置１００の各部の制御を行う。この制御部１０２は、撮像制御部１０２１と、画像処理部１０２２と、表示制御部１０２３と、通信制御部１０２４とを有している。撮像制御部１０２１は、撮像部１０４による撮像動作を制御する。画像処理部１０２２は、撮像部１０４によって取得された画像に対して表示や記録のために必要な画像処理を施す。この画像処理は、ホワイトバランス補正、階調補正、色補正といった画質に関する補正、リサイズ処理、圧縮処理、伸張処理等を含む。表示制御部１０２３は、表示部１０６への各種の画像の表示を制御する。通信制御部１０２４は、通信部１１６を介して撮像装置１００と外部機器との通信の際の制御をする。通信制御部１０２４により、撮像装置１００は、携帯端末２００と通信自在に接続される。
【００１７】
撮像部１０４は、被写体を撮像して被写体に関する画像（画像データ）を取得する。この撮像部１０４は、撮影レンズ１０４１と、撮像素子１０４２と、アナログ／デジタル（Ａ／Ｄ）変換部１０４３とを有している。撮影レンズ１０４１は、被写体からの光束を撮像素子１０４２に集光させる。撮像素子１０４２は、受光面を有する。受光面には、画素が配置されている。画素は、例えばフォトダイオードであり、入射光の光量に応じた電気信号（画像信号）を出力する。Ａ／Ｄ変換部１０４３は、撮像素子１０４２で得られたアナログの画像信号をデジタルの画像信号（画像データ）に変換する。
【００１８】
表示部１０６は、例えば液晶ディスプレイや有機ＥＬディスプレイであり、例えば撮像装置１００の背面に設けられている。この表示部１０６は、各種の画像データに基づいて画像を表示する。表示部１０６における表示に用いられる画像データは、撮像部１０４の撮像によって得られた画像データや記録部１０８に記録された画像データである。
【００１９】
記録部１０８は、例えばフラッシュメモリであり、画像データ等をファイルとして記録する。また、記録部１０８は、撮像装置１００の通信対象となる機器（携帯端末２００）と通信するために必要なアドレス情報等を記憶している。なお、記録部１０８は、撮像装置１００に内蔵されているものであっても、撮像装置１００に対して着脱自在なものであっても良い。
【００２０】
操作部１１０は、ユーザが撮像装置１００の操作を行うための機械式の操作部材である。操作部１１０としては、例えばレリーズボタンや電源スイッチが含まれる。レリーズボタンは、ユーザが撮影動作の実行を指示するためのボタンである。また、電源スイッチは、ユーザが撮像装置１００の電源のオン又はオフを指示するためのスイッチである。
【００２１】
タッチパネル１１２は、例えば表示部１０６の表示画面の上に形成されており、ユーザによるタッチ操作を検出する。制御部１０２は、タッチパネル１１２で検出されたタッチ操作に応じた処理を行う。例えば、タッチパネル１１２は、レリーズボタンの代わりとして用いられる。その他、タッチパネル１１２は、表示部１０６の表示画面に表示された画像の特定の部分をユーザが指定するために用いられる。
【００２２】
姿勢検出部１１４は、例えば３軸周りの回転を検出する角速度センサを含み、撮像装置１００の現在の姿勢を検出する。本実施形態における姿勢検出部１１４は、撮像装置１００の姿勢として少なくとも撮像装置１００の仰角を検出する。撮像装置１００の仰角は、例えば撮影レンズ１０４１の光軸の地表に対してなす角度である。方位検出部１１５は、例えば電子コンパスであり、撮像装置１００の方位を検出する。撮像装置１００の方位は、例えば撮影レンズ１０４１の光軸の方位である。通信部１１６は、通信制御部１０２４による制御に従って携帯端末２００と通信する。通信部１１６は、例えば無線ＬＡＮインタフェースである。通信部１１６は、ＵＳＢ等の有線インタフェースであっても良い。
【００２３】
携帯端末２００は、制御部２０２と、表示部２０４と、記録部２０６と、タッチパネル２０８と、位置検出部２１０と、姿勢検出部２１２と、方位検出部２１３と、時計部２１４と、通信部２１６と、通信部２１８とを有している。携帯端末２００は、スマートフォン等の情報の提示機能を有する各種の機器である。図１の携帯端末２００は、撮像部を有していないが、撮像部を有していても良い。
【００２４】
制御部２０２は、例えばＣＰＵで構成されている。この制御部２０２は、携帯端末２００の各部の制御を行う。この制御部２０２は、表示制御部２０２１と、通信制御部２０２２を有している。表示制御部２０２１は、表示部２０４への各種の画像の表示を制御する。通信制御部２０２２は、撮像装置１００又はサーバ３００との通信の際の制御をする。
【００２５】
表示部２０４は、例えば液晶ディスプレイや有機ＥＬディスプレイである。この表示部２０４は、各種の画像データに基づいて画像を表示する。
【００２６】
記録部２０６は、例えばフラッシュメモリである。この記録部２０６には、星座検索プログラム２０６１が記憶されている。また、記録部２０６には、星座情報データベース（ＤＢ）２０６２が構築されている。星座検索プログラム２０６１は、携帯端末２００の現在時刻における位置、姿勢、方位といった各種情報から、現在時刻及び現在位置においてユーザが見ることができる対象物情報である星座情報を検索するという機能を制御部２０２において実現させるためのアプリケーションプログラムである。星座情報ＤＢ２０６２には、星座情報が記憶されている。星座情報は、例えば、位置情報及び日時情報に対応付けて記憶された、各位置を基点として方位方向又は仰角方向において見えるべき天体の画像である。さらに、星座情報は、例えば星座を構成する天体間を結ぶ線（星座の形状を示す線）、星座の名称といった情報を含んでいても良い。さらには、星座情報は、金星等の特定の天体の画像も含んでいて良い。
【００２７】
タッチパネル２０８は、表示部２０４の表示画面の上に形成されており、ユーザによるタッチ操作を検出する。制御部２０２は、タッチパネル２０８で検出されたタッチ操作に応じた処理を行う。
【００２８】
位置検出部２１０は、例えばＧＰＳを用いて携帯端末２００の現在の位置を検出する。姿勢検出部２１２は、例えば３軸周りの回転を検出する角速度センサを含み、携帯端末２００の現在の姿勢を検出する。本実施形態における姿勢検出部２１２は、携帯端末２００の姿勢として少なくとも携帯端末２００の仰角を検出する。携帯端末２００の仰角は、例えば表示部２０４の表示中心の法線の地表に対してなす角度である。方位検出部２１３は、例えば電子コンパスであり、携帯端末２００の方位を検出する。携帯端末２００の方位は、例えば表示部２０４の表示中心の法線の方位である。時計部２１４は、現在時刻を検出する。
【００２９】
通信部２１６は、通信制御部２０２２による制御に従って撮像装置１００と通信する。通信部２１８は、通信制御部２０２２による制御に従ってサーバ３００と通信する。通信部２１６は、例えば無線ＬＡＮインタフェースである。また、通信部２１８は、例えば携帯電話回線である。
【００３０】
サーバ３００は、例えばＣＰＵや記憶部を有する。このサーバ３００は、携帯端末２００の現在時刻における位置、姿勢、方位といった各種情報から、現在時刻及び現在位置において携帯端末２００（撮像装置１００）のユーザが見ることができる星座情報を検索する。なお、サーバ３００には、星座情報ＤＢ２０６２よりも大規模の情報を記憶させておくことができる。
【００３１】
以下、本実施形態に係る機器連携システムの動作を説明する。ユーザは、撮像装置１００と携帯端末２００とを所持しているとする。この状態で図２及び図３で示す処理が実行される。
【００３２】
図２は、撮像装置１００の制御を示したフローチャートである。図２の処理は、制御部１０２に予め記憶されたプログラムに従って行われる。
【００３３】
図２において、制御部１０２は、電源スイッチがオンされたか否かを判定する（ステップＳ１０１）。ステップＳ１０１において電源スイッチがオンされていないと判定した場合に、制御部１０２は、撮像装置１００をスタンバイ状態に移行させる。スタンバイ状態では、ステップＳ１０１の判定等の撮像装置１００における必要最低限の機能のみが実行される。
【００３４】
ステップＳ１０１において電源スイッチがオンされたと判定した場合に、制御部１０２は、撮像装置１００の動作モードが撮影モードであるか否かを判定する（ステップＳ１０２）。撮影モードは、記録用の画像を撮影するための動作モードである。なお、撮像装置１００の動作モードは、例えばユーザによる操作部１１０の操作やタッチパネル１１２の操作によって決定される。ステップＳ１０２において撮像装置１００の動作モードが撮影モードでないと判定した場合に、制御部１０２は、撮影モード以外の動作モードに応じた処理を行う。撮影モード以外の動作モードは、例えば再生モードである。再生モードの詳細については説明を省略する。
【００３５】
ステップＳ１０２において撮像装置１００の動作モードが撮影モードであると判定した場合に、制御部１０２は、スルー画表示を行う（ステップＳ１０３）。スルー画表示は、撮像部１０４の連続動作によって得られる画像をリアルタイムで表示部１０６に表示させる動作である。
【００３６】
続いて、制御部１０２は、携帯端末２００から指定情報を受信したか否かを判定する（ステップＳ１０４）。指定情報は、ユーザによる携帯端末２００の操作によって指定された星座の位置を示す情報である。この指定情報は、ユーザによって指定された星座の天空上の位置を示す情報（例えば仰角及び方位）を含む。ステップＳ１０４において指定情報を受信していないと判定した場合に、制御部１０２は、ステップＳ１０５〜Ｓ１０７の処理をスキップする。一方、ステップＳ１０４において指定情報を受信したと判定した場合に、制御部１０２は、動作モードを星座撮影モードに移行させる。そして、制御部１０２は、姿勢検出部１１４によって撮像装置１００の現在の姿勢（仰角）を検出するとともに、方位検出部１１５によって撮像装置１００の現在の方位を検出する（ステップＳ１０５）。その後、制御部１０２は、撮像装置１００の仰角及び方位と指定情報によって示される仰角及び方位との差を算出する（ステップＳ１０６）。そして、制御部１０２は、撮像装置１００の仰角及び方位と指定情報によって示される仰角及び方位との差に応じて、ユーザが所望している星座の位置を示すガイド情報を表示部１０６に表示されたスルー画に重ねて表示させる（ステップＳ１０７）。ガイド情報は、例えば、携帯端末２００上で指定された天空上の位置を示す矢印表示である。例えば、撮像装置１００の仰角及び方位が撮影レンズ１０４１の光軸の方向を示すとすると、表示部１０６の表示中心が撮像装置１００の仰角及び方位で示される天空上の位置と一致する。この場合、撮像装置１００の仰角及び方位と指定情報によって示される仰角及び方位との差（指定された天体の天空上の位置と撮像装置１００の向きとのずれ量）は、表示部１０６における表示中心からのずれ量と考えることができる。このずれ量に応じてガイド情報の表示位置を表示中心からシフトさせる。ただし、撮像装置１００の表示部１０６に表示されているスルー画は、光学ズーム又は電子ズームされている場合がある。したがって、単純にずれ量に応じてガイド情報の表示位置を表示中心からシフトさせるのではなく、表示中心からのずれ量を、表示部１０６に表示されているスルー画の画角（ズームの倍率）によって補正してガイド情報の表示位置をシフトさせる。このような補正により、表示部１０６の表示範囲に携帯端末２００上で指定された天空上の位置が含まれなくなった場合には、例えば、指定された位置までの方向を示すガイド情報を表示させる。また、表示部１０６の表示範囲は、ユーザによる撮像装置１００の持ち方にも依存する。したがって、実際には姿勢検出部１１４によって撮像装置１００の姿勢を検出し、検出した姿勢に応じた表示範囲と携帯端末２００上で指定された天空上の位置とを比較することになる。
【００３７】
ステップＳ１０４において指定情報を受信してないと判定した場合又はステップＳ１０７の後、制御部１０２は、ユーザによる撮影操作があるか否かを判定する（ステップＳ１０８）。撮影操作は、例えばユーザによるレリーズボタンの押し操作やタッチパネル１１２を用いたタッチレリーズ操作である。ステップＳ１０８においてユーザによる撮影操作がないと判定した場合に、制御部１０２は、処理をステップＳ１０１に戻す。
【００３８】
ステップＳ１０８においてユーザによる撮影操作があると判定した場合に、制御部１０２は、撮影動作を行う（ステップＳ１０９）。撮影動作は、撮像部１０４を制御して記録用の画像データを取得する動作である。撮影動作の実行後、制御部１０２は、画像処理部１０２２により、撮影動作により得られた画像データを画像処理する。そして、制御部１０２は、画像処理後の画像データを記録部１０８に記録する（ステップＳ１１０）。この後、制御部１０２は、処理をステップＳ１０１に戻す。
【００３９】
図３は、携帯端末２００の制御を示したフローチャートである。図３の処理は、制御部２０２に予め記憶されたプログラムに従って行われる。
【００４０】
図３において、制御部２０２は、電源をオンさせるか否かを判定する（ステップＳ２０１）。ステップＳ２０１において電源をオンさせないと判定した場合に、制御部２０２は、携帯端末２００をスタンバイ状態に移行させる。スタンバイ状態では、ステップＳ２０１の判定等の携帯端末２００における必要最低限の機能のみが実行される。
【００４１】
ステップＳ２０１において電源をオンさせると判定した場合に、制御部２０２は、ユーザの操作によって星座検索プログラムが起動されたか否かを判定する（ステップＳ２０２）。例えば、星座検索プログラムのアイコンへのタッチがあった場合に、星座検索プログラムが起動されたと判定される。ステップＳ２０２において星座検索プログラムが起動されていないと判定した場合に、制御部２０２は、星座検索プログラムが起動されたとき以外の処理を行う。この処理の詳細については説明を省略する。
【００４２】
ステップＳ２０２において星座検索プログラムが起動されたと判定した場合に、制御部２０２は、位置検出部２１０によって携帯端末２００の現在の位置を検出し、姿勢検出部２１２によって携帯端末２００の現在の姿勢（仰角）を検出し、方位検出部２１３によって携帯端末２００の現在の方位を検出し、時計部２１４によって現在時刻を検出する（ステップＳ２０３）。その後、制御部２０２は、携帯端末２００の現在の位置、仰角、方位、時刻に対応した星座情報を星座情報ＤＢ２０６２から検索する（ステップＳ２０４）。前述したように、星座情報は、星座情報ＤＢ２０６２からだけでなく、サーバ３００によっても検索され得る。星座情報の検索後、制御部２０２は、星座情報の検索を行うことができたか否かを判定する（ステップＳ２０５）。
【００４３】
ステップＳ２０５において星座情報の検索を行うことができなかったと判定した場合に、制御部２０２は、ステップＳ２０６〜Ｓ２０９の処理をスキップする。このとき、星座情報を検索することができなかった旨の警告を行うようにしても良い。
【００４４】
ステップＳ２０５において星座の検索を行うことができたと判定した場合に、制御部２０２は、検索した星座情報を表示部２０４に表示させる（ステップＳ２０６）。星座情報を表示させた後、制御部２０２は、表示部２０４へのタッチがあったか否かを判定する（ステップＳ２０７）。ユーザは、所望の星座が表示部２０４に表示されるように携帯端末２００を動かす。そして、所望の星座が見つかったときに、その星座の位置をタッチする。このタッチがステップＳ２０７において判定される。ステップＳ２０７において表示部２０４へのタッチがないと判定した場合に、制御部２０２は処理をステップＳ２１０に移行させる。
【００４５】
ステップＳ２０７において表示部２０４へのタッチがあったと判定した場合に、制御部２０２は、タッチ位置に対応した仰角及び方位を算出する（ステップＳ２０８）。タッチ位置に対応した仰角及び方位は、表示中心の仰角及び方位からのずれ量として算出される。この他の手法によってタッチ位置に対応した仰角及び方位を算出するようにしても良い。タッチ位置に対応した仰角及び方位の算出後、制御部２０２は、通信制御部２０２２により、算出した仰角及び方位を含む情報を指定情報として撮像装置１００に送信する（ステップＳ２０９）。
【００４６】
ステップＳ２０５において検索が可能でなかったと判定した場合、ステップＳ２０７においてタッチがなかったと判定した場合、又はステップＳ２０９の後、制御部２０２は、ユーザの操作によって星座検索プログラムが終了されたか否かを判定する（ステップＳ２１０）。ステップＳ２１０において星座検索プログラムが終了されていないと判定した場合に、制御部２０２は、処理をステップＳ２０３に戻す。一方、ステップＳ２１０において星座検索プログラムが終了されたと判定した場合に、制御部２０２は、処理をステップＳ２０１に戻す。
【００４７】
以上説明したように本実施形態によれば、図４（ａ）に示すようにして携帯端末２００の表示部２０４に星座情報が表示されている状態で、ユーザが所望の星座の位置をタッチすると、その星座の位置を示す仰角及び方位が指定情報として撮像装置１００に送信される。そして、撮像装置１００では、図４（ｂ）に示すようにして、携帯端末２００によって指定された仰角及び方位に対応した位置を示すガイド情報１０６ａが表示部１０６に表示される。このように、本実施形態では、携帯端末２００の表示部２０４で指定された位置に対応した位置を示すガイド情報が撮像装置１００の表示部１０６に表示される。このため、撮像装置１００の表示部１０６では星座の位置を確認できるような明るさが得られない状況であっても、表示部１０６を用いて星座の位置を確認することができる。
【００４８】
［変形例］  
次に、本実施形態の変形例を説明する。前述した実施形態では、携帯端末２００で指定された星座の位置を示すガイド情報を撮像装置１００の表示部１０６に表示させるようにしている。これに対し、撮像装置１００で指定された位置に対応したガイド情報を撮像装置１００の表示部１０６に表示させるようにしても良い。
【００４９】
図５は、変形例の撮像装置１００の制御を示したフローチャートである。図５の処理は、制御部１０２に予め記憶されたプログラムに従って行われる。図５において、制御部１０２は、電源スイッチがオンされたか否かを判定する（ステップＳ３０１）。ステップＳ３０１において電源スイッチがオンされていないと判定した場合に、制御部１０２は、撮像装置１００をスタンバイ状態に移行させる。
【００５０】
ステップＳ３０１において電源スイッチがオンされたと判定した場合に、制御部１０２は、撮像装置１００の動作モードが星座撮影モードであるか否かを判定する（ステップＳ３０２）。星座撮影モードは、星座撮影をするための動作モードである。第１の実施形態と同様に、撮像装置１００の動作モードは、例えばユーザによる操作部１１０の操作やタッチパネル１１２の操作によって決定される。ステップＳ３０２において撮像装置１００の動作モードが星座撮影モードでないと判定した場合に、制御部１０２は、星座撮影モード以外の動作モードに応じた処理を行う。星座撮影モード以外の動作モードは、例えば通常の撮影モードである。通常の撮影モードは、図２において指定情報が受信されていない場合の処理である。
【００５１】
ステップＳ３０２において撮像装置１００の動作モードが星座撮影モードであると判定した場合に、制御部１０２は、スルー画表示を行う（ステップＳ３０３）。
【００５２】
続いて、制御部１０２は、表示部１０６へのタッチがあったか否かを判定する（ステップＳ３０４）。変形例の場合、第１の実施形態とは異なり、タッチ位置には必ずしもユーザが所望する星座が表示されているとは限らない。ステップＳ３０４において表示部１０６へのタッチがないと判定した場合に、制御部１０２は処理をステップＳ３０９に移行させる。
【００５３】
ステップＳ３０４において表示部１０６へのタッチがあったと判定した場合に、制御部１０２は、タッチ位置に対応した仰角及び方位を算出する（ステップＳ３０５）。例えば、撮像装置１００の光軸の方向が撮像装置１００の仰角及び方位と一致していれば、第１の実施形態と同様に表示中心からのずれ量をタッチ位置に対応した仰角及び方位とすることができる。この他の手法によってタッチ位置に対応した仰角及び方位を算出するようにしても良い。タッチ位置に対応した仰角及び方位の算出後、制御部１０２は、通信制御部１０２４により、算出した仰角及び方位の情報と画角の情報と含む情報を指定情報として携帯端末２００に送信する（ステップＳ３０６）。前述したように撮像装置１００の表示部１０６に表示されているスルー画はズームされている可能性がある。この場合、同じタッチ位置であっても画角が異なればタッチ位置によって示される仰角及び方位は、天空における異なる位置に対応したものとなる。したがって、変形例の場合には、仰角及び方位の情報に加えて画角の情報も携帯端末２００に送信する必要がある。なお、撮像装置１００において画角に応じた仰角及び方位の補正が行われても良い。
【００５４】
指定情報を送信した後、制御部１０２は、携帯端末２００から星座情報の検索結果を受信したか否かを判定する（ステップＳ３０７）。ステップＳ３０７において星座情報の検索結果を受信していないと判定した場合に、制御部１０２は、ステップＳ３０８の処理をスキップする。一方、ステップＳ３０７おいて星座情報の検索結果を受信したと判定した場合に、制御部１０２は、星座情報とともにガイド情報を表示部１０６に表示させる（ステップＳ３０８）。
【００５５】
ステップＳ３０４において表示部１０６へのタッチがないと判定した場合、ステップＳ３０７において星座情報の検索結果を受信してないと判定した場合又はステップＳ３０８の後、制御部１０２は、ユーザによる撮影操作があるか否かを判定する（ステップＳ３０９）。ステップＳ３０９においてユーザによる撮影操作がないと判定した場合に、制御部１０２は、処理をステップＳ３０１に戻す。
【００５６】
ステップＳ３０９においてユーザによる撮影操作があると判定した場合に、制御部１０２は、撮影動作を行う（ステップＳ３１０）。撮影動作の実行後、制御部１０２は、画像処理部１０２２により、撮影動作により得られた画像データを画像処理する。そして、制御部１０２は、画像処理後の画像データを記録部１０８に記録する（ステップＳ３１１）。この後、制御部１０２は、処理をステップＳ３０１に戻す。
【００５７】
図６は、携帯端末２００の制御を示したフローチャートである。図６の処理は、制御部２０２に予め記憶されたプログラムに従って行われる。
【００５８】
図６において、制御部２０２は、電源をオンさせるか否かを判定する（ステップＳ４０１）。ステップＳ４０１において電源をオンさせないと判定した場合に、制御部２０２は、携帯端末２００をスタンバイ状態に移行させる。
【００５９】
ステップＳ４０１において電源をオンさせると判定した場合に、制御部２０２は、撮像装置１００から指定情報を受信したか否かを判定する（ステップＳ４０２）。ステップＳ４０２において指定情報を受信していないと判定した場合に、制御部２０２は、星座検索プログラムが起動されたとき以外の処理を行う。この処理の詳細については説明を省略する。
【００６０】
ステップＳ４０２において指定情報を受信したと判定した場合に、制御部２０２は、星座検索プログラムを起動する（ステップＳ４０３）。そして、制御部２０２は、位置検出部２１０によって携帯端末２００の現在の位置を検出し、時計部２１４によって現在時刻を検出する（ステップＳ４０４）。その後、制御部２０２は、受信した画角から撮像装置１００によって指定された仰角及び方位を携帯端末２００で用いることができる仰角及び方位に変換する（ステップＳ４０５）。この演算は、仰角及び方位によって特定される位置を画角に応じてシフトさせる演算である。このような演算の後、制御部２０２は、携帯端末２００の現在の位置、仰角、方位、時刻に対応した星座情報を星座情報ＤＢ２０６２から検索する（ステップＳ４０６）。前述したように、星座情報は、星座情報ＤＢ２０６２からだけでなく、サーバ３００によっても検索され得る。星座情報の検索後、制御部２０２は、星座情報の検索を行うことができたか否かを判定する（ステップＳ４０７）。
【００６１】
ステップＳ４０７において星座情報の検索を行うことができなかったと判定した場合に、制御部２０２は、ステップＳ４０８の処理をスキップする。このとき、星座情報を検索することができなかった旨の警告を行うようにしても良い。
【００６２】
ステップＳ４０７において星座の検索を行うことができたと判定した場合に、制御部２０２は、通信制御部２０２２により、検索した星座情報を撮像装置１００に送信する（ステップＳ４０８）。ここでの星座情報は、前述した天体の画像にガイド情報を重畳したものである。星座情報の送信後、制御部２０２は、星座検索プログラムを終了させる（ステップＳ４０９）。その後、制御部２０２は、処理をステップＳ４０１に戻す。
【００６３】
以上説明したように変形例によれば、図７（ａ）に示すようにして撮像装置１００の表示部１０６の所望の位置をタッチすると、その位置を示す仰角及び方位と画角とが指定情報として携帯端末２００に送信される。そして、携帯端末２００では、撮像装置１００によって指定された仰角及び方位に対応した位置に応じた星座情報（携帯端末２００で検索された天体の画像を含む情報）が検索される。その後、撮像装置１００では、図７（ｂ）に示すようにして、ガイド情報１０６ａが重畳された星座情報が表示される。このようにして表示部１０６上で星座の位置を確認することができる。
【００６４】
［第２の実施形態］
次に、本発明の第２の実施形態について説明する。第１の実施形態では、撮像装置１００と携帯端末２００の向きが大きく異なる場合があることを想定している。これに対し、第２の実施形態は、撮像装置１００と携帯端末２００とが一体で用いられることによって撮像装置１００と携帯端末２００の向きが大きく異ならないようにした例である。
【００６５】
図８は、第２の実施形態における機器連携システムの外観図である。第２の実施形態において、撮像装置１００と携帯端末２００とはアダプタ４００によって接続される。すなわち、アダプタ４００は、撮像装置１００の例えば上部に設けられたアクセサリシューに嵌め込み固定されるように構成されている。
アダプタ４００は、ボール付き取り付け部４０１と、アダプタ本体４０２と、取り付けねじ４０４とを有する。ボール付き取付け部４０１は、ボール４０１ａが継手４０１ｂの先に取り付けられた構成を有する。そして、このボール付き取付け部４０１のボール４０１ａは、取り付けねじ４０４によってアダプタ本体４０２の内部で移動しないように保持される。一方、継手４０１ｂには、携帯端末２００が装着される。また、アダプタ本体４０２は、開口を有する箱状をしている。開口内にはボール４０１ａを受けるための曲面が形成されている。
このような構成においてユーザによって取り付けねじ４０４が緩められた場合には、ボール４０１ａは、アダプタ本体４０２の内部に形成された曲面に沿って移動可能になる。これにより、ユーザは、ボール付き取付け部４０１の向きを変更することが可能である。このような構成により、携帯端末２００の向きの調整を行うことが可能である。これによって本実施形態では、携帯端末２００の向きの調整が可能になる。
【００６６】
以下、携帯端末２００の位置調整について説明する。ここで、第２の実施形態における携帯端末２００は、例えば白色ＬＥＤといった照射部を有しているものとする。また、位置調整は、図９に示すように、撮像装置１００と携帯端末２００とをアダプタ４００を介して接続した状態で携帯端末２００から補助光を照射し、チャート５００に表示された補助光のパターンを撮像することによって行われる。
【００６７】
図１０を参照して位置調整の具体的な処理を説明する。第２の実施形態においては、例えば星座検索プログラムに位置調整モードの処理が含まれている。そして、ユーザが星座検索プログラムを起動した後で位置調整モードの処理を選択すると、図１０の処理が開始される。位置調整モードの選択は、例えばユーザによる位置調整モードのアイコンのタッチによって行われる。位置調整モードの開始後は、携帯端末２００と撮像装置１００との通信が行われることによって、撮像装置１００も位置調整モードとなる。
【００６８】
位置調整モードの開始後、携帯端末２００の制御部２０２は、図１１に示すように、携帯端末２００に設けられた照射部２２０から補助光を照射する（ステップＳ５０１）。続いて、制御部２０２は、ユーザに対して携帯端末２００の位置調整を指示する（ステップＳ５０２）。この指示は、表示部２０４に「位置調整をしてください」等のメッセージを表示させることによって行われる。
【００６９】
照射部２２０から照射された補助光は、チャート５００で反射される。そして、この反射光は、図１１に示すように、撮像装置１００の撮影レンズ１０４１を介して撮像素子１０４２に入射する。撮像装置１００の制御部１０２は、撮像部１０４を制御してチャート５００に写っている照射パターンの撮像を行う（ステップＳ５０３）。
【００７０】
照射パターンの撮像後、制御部１０２は、撮像により得られた画像における照射パターンの位置が適正位置にあるか否かを判定する（ステップＳ５０４）。例えば、画像内に照射パターンが含まれていれば適正位置であるとする。この他、画像の略中心に照射パターンが位置している場合に適正位置であると判定する等しても良い。ステップＳ５０４において照射パターンが適正位置にある場合に、制御部１０２は、通信制御部１０２４により、照射パターンの位置が適正位置となった旨を携帯端末２００に通知する。これを受けて携帯端末２００の制御部２０２は、携帯端末２００の位置が適正位置となったことをユーザに通知する（ステップＳ５０５）。ステップＳ５０４において照射パターンが適正位置にない場合に、制御部１０２は、通信制御部１０２４により、照射パターンの位置が適正位置となっていない旨を携帯端末２００に通知する。これを受けて携帯端末２００の制御部２０２は、携帯端末２００の位置が適正位置となっていないことをユーザに通知する。このとき、制御部２０２は、携帯端末２００の調整方向をユーザに通知する（ステップＳ５０６）。この通知は、例えば調整方向を示す矢印を表示部２０４に表示させることによって行われる。
【００７１】
ステップＳ５０５又はステップＳ５０６の後、制御部２０２は、位置調整モードを終了させるか否かを判定する（ステップＳ５０７）。位置調整モードの終了は、例えばユーザによる位置調整モードの終了アイコンのタッチによって指示される。ステップＳ５０７において位置調整モードを終了させないと判定した場合に、制御部２０２は、処理をステップＳ５０１に戻す。ステップＳ５０７において位置調整モードを終了させると判定した場合に、制御部２０２は、図１０の処理を終了させる。位置調整モードの終了後は、携帯端末２００と撮像装置１００との通信が行われることによって、撮像装置１００でも位置調整モードの処理が終了される。
【００７２】
位置調整モード以外の星座情報の表示に係る部分については第１の実施形態又はその変形例で説明した処理が適用され得る。
【００７３】
以上説明したように本実施形態によれば、撮像装置１００と携帯端末２００との仰角及び方位の関係を一定に保つことが可能である。このため、撮像装置１００の仰角及び方位の情報を送信しなくても、星座情報の検索を行うことが可能である。また、位置調整モードによって位置調整をすることにより、携帯端末２００で検索される星座の位置と撮像装置１００においてスルー画表示されるガイド情報や星座情報との位置ずれを少なくすることが可能である。
【００７４】
［変形例１］  
次に、本実施形態の変形例を説明する。第２の実施形態のアダプタ４００は、携帯端末２００の位置調整を行うことができるように構成されている。これに対し、携帯端末２００が撮像装置１００に対して固定されるように構成されていても良い。
【００７５】
図１２は、第２の実施形態の変形例１における機器連携システムの外観図である。図１３は、第２の実施形態の変形例１に係る機器連携システムの構成を示す図である。変形例１においても、第２の実施形態と同様に、撮像装置１００と携帯端末２００とはアダプタを介して接続される。このアダプタの構成が第２の実施形態と異なる。
【００７６】
図１２に示すように、撮像装置１００の上部にはアクセサリシュー１１８が形成されている。このアクセサリシュー１１８は、主にフラッシュ補助光を照射する外部フラッシュを装着するためのアクセサリシューである。このアクセサリシュー１１８は、係合部１１８１と、フラッシュ同調接点１１８２と、通信接点１１８３、１１８４と、電源供給接点１１８５とを有している。
【００７７】
係合部１１８１は、外部フラッシュやアダプタ６００等と係合して外部フラッシュやアダプタ６００等を撮像装置１００に固定するように構成されている。係合部１１８１は、金属で形成されており、外部フラッシュやアダプタ６００等が装着された際のグランド接点としても機能する。フラッシュ同調接点１１８２は、外部フラッシュが装着された際に撮像装置１００と外部フラッシュとを電気的に接続する接点である。このフラッシュ同調接点１１８２は、撮像装置１００からフラッシュ同調信号（いわゆるＸ信号）を外部フラッシュに通信するための接点として機能する。
【００７８】
通信接点１１８３、１１８４は、アダプタ６００等が装着された際に撮像装置１００とアダプタ６００等とを電気的に接続する接点である。特に、アダプタ６００が装着された場合には、図１３に示すように、通信接点１１８３は、アダプタ６００の通信端子６０４に設けられた通信線６０４１と接続される。同様に、通信接点１１８４は、アダプタ６００の通信端子６０４に設けられた通信線６０４２と接続される。このような構成において、通信接点１１８３は、例えば撮像装置１００から携帯端末２００への通信用の接点として機能する。通信接点１１８４は、例えば携帯端末２００から撮像装置１００への通信用の接点として機能する。
【００７９】
電源供給接点１１８５は、アダプタ６００等が装着された際に撮像装置１００とアダプタ６００等とを電気的に接続する接点である。特に、アダプタ６００が装着された場合には、図１３に示すように、電源供給接点１１８５は、アダプタ６００の通信端子６０４に設けられた通信線６０４３と接続される。このような構成において、電源供給接点１１８５は、撮像装置１００から携帯端末２００への電源供給用の接点として機能する。
【００８０】
アダプタ６００は、係合部６０２と、凹部６０３と、通信端子６０４とを有している。係合部６０２は、撮像装置１００の係合部１１８１と係合される。このような係合部６０２により、アダプタ６００は、撮像装置１００に固定される。凹部６０３は、携帯端末２００の例えば底部の形状に倣うようにアダプタ６００に形成された凹部である。この凹部６０３には、通信端子６０４が形成されている。前述したように、通信端子６０４には、通信線６０４１、６０４２、６０４３が形成されている。凹部６０３を介してアダプタ６００に携帯端末２００が装着された場合には、通信端子６０４の通信線６０４１、６０４２、６０４３と通信部２１６とが接続される。
【００８１】
このような構成により、第２の実施形態と同様の効果が得られるとともに、アダプタ６００の内部に通信線を設けることにより、アダプタ６００を介して撮像装置１００と携帯端末２００との有線通信が可能である。さらに、アダプタ６００の内部に電源供給線としての通信線６０４３を設けることにより、撮像装置１００から携帯端末２００に電源を供給することが可能である。これにより、携帯端末２００の電池を消耗させずに、表示部２０４に星座情報を表示させ続けることが可能である。なお、撮像装置１００から携帯端末２００への電源供給は、アダプタ６００を介して撮像装置１００と携帯端末２００とが装着されたときにのみ行うことが望ましい。撮像装置１００と携帯端末２００との通信が確立したときのみ、電源供給するようにすれば、接点でのショートや漏電等の問題を対策することができる。
【００８２】
［変形例２］  
図１４は、第２の実施形態の変形例２における機器連携システムの外観図である。図１４（ａ）は、変形例２の撮像装置１００の外観を示している。図１４（ａ）で示す撮像装置１００は、「交換レンズ状」の撮像装置である。交換レンズ状の筐体の内部に図１で示した撮像装置１００の各処理ブロックが設けられている。なお、交換レンズ状の撮像装置１００の場合、図１で示した全ての処理ブロックが設けられている必要はない。例えば、表示部１０６と、タッチパネル１１２と、姿勢検出部１１４とはなくても良い（あっても良い）。一方、図１４（ｂ）は、携帯端末２００の外観を示している。変形例２の携帯端末２００は、例えばスマートフォンであり、図１で示した携帯端末２００と同じ構成を有している。
【００８３】
変形例２の撮像装置１００は、図１４（ｃ）で示すように、アダプタ７００を介して携帯端末２００に装着される。このような構成において、撮像装置１００で撮影された画像は携帯端末２００に送信される。すなわち、撮像装置１００と携帯端末２００とが１台のデジタルカメラのように動作する。例えば、スルー画表示の際には、撮像装置１００で得られたスルー画が携帯端末２００に送信され、表示部２０４に表示される。また、撮影の際には、携帯端末２００からの撮影指示が撮像装置１００で受信された際に撮影が行われる。なお、変形例２の場合も、星座情報の表示に係る部分については第１の実施形態又はその変形例で説明した処理が適用され得る。ただし、変形例２では、第１の実施形態又はその変形例においては、撮像装置１００で行われていた処理も携帯端末２００で行われる。このような変形例２の構成であっても、第２の実施形態と同様の効果が得られる。
【００８４】
以上実施形態に基づいて本発明を説明したが、本発明は上述した実施形態に限定されるものではなく、本発明の要旨の範囲内で種々の変形や応用が可能なことは勿論である。また、前述の各動作フローチャートの説明において、便宜上「まず」、「次に」等を用いて動作を説明しているが、この順で動作を実施することが必須であることを意味するものではない。
【００８５】
また、上述した実施形態による各処理は、制御部１０２又は制御部２０２に実行させることができるプログラムとして記憶させておくこともできる。この他、メモリカード（ＲＯＭカード、ＲＡＭカード等）、磁気ディスク（ハードディスク等）、光ディスク（ＣＤ−ＲＯＭ、ＤＶＤ等）、半導体メモリ等の外部記憶装置の記憶媒体に格納して配布することができる。そして、制御部１０２又は制御部２０２は、この外部記憶装置の記憶媒体に記憶されたプログラムを読み込み、この読み込んだプログラムによって動作が制御されることにより、上述した処理を実行することができる。
【００８６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００８７】
１  機器連携システム、１００  撮像装置、１０２  制御部、１０４  撮像部、１０６  表示部、１０８  記録部、１１０  操作部、１１２  タッチパネル、１１４  姿勢検出部、１１５  方位検出部、１１６  通信部、１１８  アクセサリシュー、２００  携帯端末、２０２  制御部、２０４  表示部、２０６  記録部、２０８  タッチパネル、２１０  位置検出部、２１２  姿勢検出部、２１３  方位検出部、２１４  時計部、２１６  通信部、２１８  通信部、２２０  照射部、３００  サーバ、４００  アダプタ、５００  チャート、６００  アダプタ、７００  アダプタ、１０２１  撮像制御部、１０２２  画像処理部、１０２３  表示制御部、１０２４  通信制御部、１０４１  撮影レンズ、１０４２  撮像素子、１０４３  アナログ／デジタル（Ａ／Ｄ）変換部、２０２１  表示制御部、２０６１  星座検索プログラム、２０６２  星座情報データベース（ＤＢ）。
【図１】
2015207823.tif 000003
【図２】
2015207823.tif 000004
【図３】
2015207823.tif 000005
【図４】
2015207823.tif 000006
【図５】
2015207823.tif 000007
【図６】
2015207823.tif 000008
【図７】
2015207823.tif 000009
【図８】
2015207823.tif 000010
【図９】
2015207823.tif 000011
【図１０】
2015207823.tif 000012
【図１１】
2015207823.tif 000013
【図１２】
2015207823.tif 000014
【図１３】
2015207823.tif 000015
【図１４】
2015207823.tif 000016